【事件の表示】
　平成　４年特許願第１５７５５５号「記録媒体再生装置」拒絶査定不服審判事件〔平成　５年１２月１０日出願公開、特開平　５−３２５５０９〕について、次のとおり審決する。
【結　論】
　本件審判の請求は、成り立たない。
【理　由】
１．手続の経緯・本願発明
　本願は、平成４年５月２５日の出願であって、その請求項１に係る発明（以下、「本願発明」という。）は、平成１４年１０月２８日付け手続補正によって補正された明細書の特許請求の範囲の請求項１に記載されたとおりの次のものと認める。
　
「複数の記録情報が記録されると共に、各々の前記記録情報のタイトルと記録媒体のタイトルが記録されている前記記録媒体を再生する記録媒体再生装置において、
　前記記録媒体を再生する再生手段と、
　前記記録媒体より再生された前記記録情報のタイトルと前記記録媒体のタイトルを記憶する記憶手段と、
　表示モードを選択する選択手段と、
　前記記憶手段より読出された前記記録情報のタイトルと前記記録媒体のタイトルを、前記選択手段により選択された表示モードに応じて表示する表示手段と、
　前記再生手段により前記記録情報を再生し、かつ前記表示手段に前記記録情報のタイトル以外の表示が表示されている場合に、再生される前記記録情報が新たな記録情報に移行したとき、前記新たな記録情報の前記タイトルを前記記憶手段から読み出し、前記表示手段に、前記記録情報のタイトル以外の表示に替えて、前記新たな記録情報の前記タイトルを所定時間だけ表示させる制御手段と
　を備えることを特徴とする記録媒体再生装置。」
　
２．引用例
　これに対して、原査定の拒絶の理由に引用された、本願出願前に頒布された刊行物である、実願昭６０−３９６３９号（実開昭６１−１５６０５１号）のマイクロフィルム（以下、「引用例」という。）には、以下の技術事項が図面とともに記載されている。
「第３図はディスクチェンジャ１内にマガジン２を装填した状態の斜視図であり、ディスクチェンジャ１の前面には、操作部としての操作ボタン１３が複数個配列されている。この操作ボタン１３はマガジン２内の各ディスクに対応して記憶された情報を選択的に読み出す時に操作するためのものであり、その操作ボタン１３の操作に応じて、表示部１４にディスクの情報が表示されるようになっている。
　表示部１４は流晶などが使用され、マガジン２の前面側に設けられている。・・・（中略）・・・。
　また、第４図はディスクチェンジャ１とマガジン２の内部構成を示したものである。・・・（中略）・・・。
　また、マガジン２内にはバッテリ１５が設けられており、このバッテリ１５の電力はマイクロコンピュータなどの制御素子１７、発振素子１６，表示素子１８、受光素子６などに供給するようになっている。
　バッテリ１５は表示回路用電源となるだのであり、また、制御素子１７は記憶素子、表示駆動素子となるワンチップマイコンなどによるものである。
　・・・（中略）・・・。
　次に、この考案の動作について説明する。複数のディスクが収納されたマガジン２をディスクチェンジャ１内に挿入後、ＴＯＣ読み取り動作を行わせると、各トレイＮｏ．に対応した形でディスク情報がフォトインタラプタ１９を介してディスクチェンジャ本体１よりマガジン２に送られ、制御素子１７内の記憶素子に記憶される。
　この書き換えは、ＴＯＣ読み取り動作が行われる都度実施される。このようにして記憶された情報は操作ボタン１３の操作により必要な情報だけを取り出して表示部１４に表示される。この表示部１４に表示する場合の表示例を挙げると、次のごとくである。
（１）ディスクのタイトル，歌手名，トータル時間，全ディスク一覧
（２）一枚のディスクのタイトル，歌手名，曲目，曲目別の時間
（３）表示，オフ」（４頁１２行〜７頁６行）
　
　摘記した引用例記載事項及び図面の記載事項を総合勘案すると、引用例には、結局、次の発明（以下、「引用発明」という。）が記載されている。
　
「複数のディスクを収納したマガジンが装填され、ディスクを再生するディスクチェンジャにおいて、ＴＯＣ読み取り動作により得たディスク情報をマガジン内の記憶素子に記憶させ、操作ボタンの操作により必要な情報を記憶素子から取り出し、ディスクのタイトル、曲目等をマガジンの表示部に表示させることが可能なディスクチェンジャ。」
　
３．対比
　そこで、本願発明と引用発明とを対比すると、引用発明における「複数のディスクを収納したマガジンが装填され、ディスクを再生するディスクチェンジャ」は、「マガジン」と「ディスクチェンジャ」があわせて本願発明における「記録媒体再生装置」に相当し、引用発明における「ディスクのタイトル」及び「曲目」は、本願発明における「記録媒体のタイトル」及び「記録情報のタイトル」にそれぞれ相当する。
　また、引用発明においても、ディスクに複数の記録情報（曲）が記録されること、ディスクチェンジャが再生手段（ヘッド等）を備えることは言うまでもないことである。
　また、引用発明におけるＴＯＣが具体的にどのように構成されたものであるかの記述はないが、表示される内容がディスクのタイトル、曲目等であることからみて、ＴＯＣには少なくともそれらの情報が含まれていると解するのが妥当である。
　また、引用発明において、操作ボタンの操作により必要な情報を取り出し、ディスクのタイトルや曲目を表示させることは、本願発明でいうところの「表示モードを選択する選択手段」と、ディスクのタイトルと曲目を「選択手段により選択された表示モードに応じて表示する表示手段」とを備えることに他ならない。
　また、そのような情報を読み出し、表示を行う「制御手段」を備えるものである。
　してみれば、本願発明と引用発明は次の点で一致する。
　
＜一致点＞
「複数の記録情報が記録されると共に、各々の前記記録情報のタイトルと記録媒体のタイトルが記録されている前記記録媒体を再生する記録媒体再生装置において、
　前記記録媒体を再生する再生手段と、
　前記記録媒体より再生された前記記録情報のタイトルと前記記録媒体のタイトルを記憶する記憶手段と、
　表示モードを選択する選択手段と、
　前記記憶手段より読出された前記記録情報のタイトルと前記記録媒体のタイトルを、前記選択手段により選択された表示モードに応じて表示する表示手段と、
　前記記録情報のタイトルを前記記憶手段から読み出し、前記表示手段に表示させる制御手段と
　を備える記録媒体再生装置。」
　
　一方、以下の点で相違する。
＜相違点＞
　制御手段について、「再生手段により記録情報を再生し、かつ表示手段に記録情報のタイトル以外の表示が表示されている場合に、再生される記録情報が新たな記録情報に移行したとき」の動作が、本願発明は、「新たな記録情報のタイトルを記憶手段から読み出し、表示手段に、記録情報のタイトル以外の表示に替えて、新たな記録情報のタイトルを所定時間だけ表示させる」というものであるのに対し、引用発明では、上記新たな記録情報に移行したときの動作に関して特に記載されていない点。
　
４．判断
　そこで、上記相違点について検討する。
　複数の表示モードを有する記録媒体再生装置において、再生動作状態にあり、一曲経過時間等、曲情報以外の情報を表示する表示モードが選択されている場合に、アップダウンキーの操作によりサーチ動作が開始され、再生される曲が新たな曲に移行したときに、表示内容を切り替えて、新たな曲の曲情報（曲番等）を所定時間だけ表示させることは、例えば、実願昭５９−４４０８０号（実開昭６０−１５９５９１号）のマイクロフィルムにあるように、本願出願前に当業者において周知技術であるから、引用発明においても、再生手段により記録情報を再生し、かつ表示手段に記録情報のタイトル以外の表示が表示されている場合に、再生される記録情報が新たな記録情報に移行したときに、当該周知技術のように新たな記録情報の曲情報に切り替えて表示させること、すなわち、新たな記録情報のタイトルを記憶手段から読み出し、表示手段に、記録情報のタイトル以外の表示に替えて、新たな記録情報のタイトルを所定時間だけ表示させるようにすることは、当業者が容易になし得ることと認められる。
　なお、曲番（トラック番号）、曲名、ディスクのタイトル名等を表示すること自体は、原審における拒絶の理由に引用された、特開平３−１０５７８２号公報（従来技術、第４実施例、第２図を参照。）、特開平４−３３８７号公報にもあるように当業者にとってそれぞれ周知である。
　
５．むすび
　以上のとおり、本願の請求項１に係る発明は、引用例に記載された発明及び周知技術に基づいて当業者が容易に発明をすることができたものであるから、特許法第２９条第２項の規定により特許を受けることができない。
　よって、結論のとおり審決する。